(57)【要約】【課題】半田付けなどで高温が印加されても、強いクリック感触を元のまま維持することができるクリック機構及びこのクリック機構を用いた回転式電子部品を提供する。【解決手段】表面にクリック係合凹部５１を設けた回転体５０と、回転体５０のクリック係合凹部５１に係合する弾接部１０７を有する弾性板製のクリック板１００と、を有し、回転体５０が回転する際にクリック板１００の弾接部１０７がクリック係合凹部５１に係合・離脱することでクリック感触を生じさせるクリック機構である。クリック板１００の弾接部１０７の背面側に、この弾接部１０７がクリック係合凹部５１から離脱する際に当接してその離脱に対する抵抗力を補強する押え部１４１を有するクリック板押え体１３９を設置する。【選択図】図７
2010277711.tif 000002
【特許請求の範囲】
【請求項１】
表面にクリック係合凹部を設けた移動体と、
前記移動体のクリック係合凹部に係合する弾接部を有する弾性板製のクリック板と、を有し、
前記移動体が移動する際に前記クリック板の弾接部が前記クリック係合凹部に係合・離脱することでクリック感触を生じさせるクリック機構において、
前記クリック板の前記弾接部の背面側に、この弾接部が前記クリック係合凹部から離脱する際に当接してその離脱に対する抵抗力を補強するクリック板押え体を設置したことを特徴とするクリック機構。
【請求項２】
請求項１に記載のクリック機構であって、
前記移動体はケースの収納部内に収納されており、
前記クリック板とクリック板押え体は、前記ケースの収納部を覆う位置に積み重ねて設置されていることを特徴とするクリック機構。
【請求項３】
請求項２に記載のクリック機構であって、
前記クリック板押え体は、前記ケースの収納部を覆うカバーを兼用していることを特徴とするクリック機構。
【請求項４】
請求項２または３に記載のクリック機構を用いてなる回転式電子部品であって、
前記回転式電子部品は、前記移動体が回転体であり、かつ前記ケースの収納部内に前記回転体の回転に応じて電気的出力を変化する電気的機能部を設置して構成されていることを特徴とする回転式電子部品。
【発明の詳細な説明】
【技術分野】
【０００１】
本発明はクリック機構及び回転式電子部品に関するものである。
【背景技術】
【０００２】
従来、回転体を回転することで電気的出力（オンオフ信号など）を変化し、同時にクリック感触が得られる構造のクリック機能付き回転式電子部品（以下単に「回転式電子部品」という）が利用されている。この種の回転式電子部品は、例えば特許文献１の図２に示すように、表面にスイッチパターン（６３）を設けたケース（６０）と、ケース（６０）の収納部（６１）内に回動自在に収納される回転体（３０）と、回転体（３０）の下面に取り付けられて前記スイッチパターン（６３）上を摺動する摺動子（５０）と、回転体（３０）の上部に設置され回転体（３０）上面に設けた凹凸からなるクリック係合部（３５）に弾接するクリック板（２０）と、クリック板（２０）の上部を覆うカバー（１０）とを有して構成されている。そして回転体（３０）を回転すれば、クリック板（２０）の弾接部（２４）がクリック係合部（３５）に弾接することで、クリック感触が生じる。
【０００３】
ところで前記回転式電子部品において、前記クリック感触を強く（クリック荷重を大きく）しようとすると、前記クリック板（２０）の弾接部（２４）によるクリック係合部（３５）への弾接力を強くする必要がある。
【０００４】
そして弾接部（２４）のクリック係合部（３５）への弾接力を強くすると、回転体（３０）とクリック板（２０）の間、つまりケース（６０）とカバー（１０）の間に、両者を引き離そうとする強い力が印加されることになる。もちろん通常の使用条件においては、前記力によってケース（６０）とカバー（１０）の間の固定力が弱くなることはない。
【先行技術文献】
【特許文献】
【０００５】
【特許文献１】特開２００５−７８８４４号公報
【発明の概要】
【発明が解決しようとする課題】
【０００６】
しかしながらたとえば組み立てた上記回転式電子部品を回路基板上に搭載して半田付けのためにリフローなどした場合、回転式電子部品に高温が印加されるため、合成樹脂製のケース（６０）が柔らかくなり、このため前記クリック板（２０）による強い弾発力によってケース（６０）とカバー（１０）の間に緩みが生じ、結局前記強いクリック感触が得られなくなってしまうという問題があった。つまり回転式電子部品を組み立てた際のクリック感触をいくら強いものに設定しても、回路基板に取り付けた後のクリック感触が弱いものになってしまうという問題があった。
【０００７】
本発明は上述の点に鑑みてなされたものでありその目的は、半田付けなどで高温が印加されても、強い（クリック荷重の大きい）クリック感触を元のまま維持することができるクリック機構及びこのクリック機構を用いた回転式電子部品を提供することにある。
【課題を解決するための手段】
【０００８】
本願請求項１に記載の発明は、表面にクリック係合凹部を設けた移動体と、前記移動体のクリック係合凹部に係合する弾接部を有する弾性板製のクリック板と、を有し、前記移動体が移動する際に前記クリック板の弾接部が前記クリック係合凹部に係合・離脱することでクリック感触を生じさせるクリック機構において、前記クリック板の前記弾接部の背面側に、この弾接部が前記クリック係合凹部から離脱する際に当接してその離脱に対する抵抗力を補強するクリック板押え体を設置したことを特徴とするクリック機構にある。
【０００９】
本願請求項２に記載の発明は、請求項１に記載のクリック機構であって、前記移動体はケースの収納部内に収納されており、前記クリック板とクリック板押え体は、前記ケースの収納部を覆う位置に積み重ねて設置されていることを特徴とするクリック機構にある。
【００１０】
本願請求項３に記載の発明は、請求項２に記載のクリック機構であって、前記クリック板押え体は、前記ケースの収納部を覆うカバーを兼用していることを特徴とするクリック機構にある。
【００１１】
本願請求項４に記載の発明は、請求項２または３に記載のクリック機構を用いてなる回転式電子部品であって、前記回転式電子部品は、前記移動体が回転体であり、かつ前記ケースの収納部内に前記回転体の回転に応じて電気的出力を変化する電気的機能部を設置して構成されていることを特徴とする回転式電子部品にある。
【発明の効果】
【００１２】
請求項１に記載の発明によれば、クリック板の弾接部を移動体のクリック係合凹部内に係合した状態、すなわち弾接部がクリック板押え体によって押されていない状態で、このクリック機構を取り付けた電子部品に半田付けなどを行えば、高温印加時に移動体がクリック板の弾接部によって強く押圧されることはない。このため常に強い（クリック荷重の大きい）クリック感触を高温印加後も元のまま維持することができる。同時にクリック板とクリック板押え体の両者を用いているので、クリック板の弾接部が移動体のクリック係合凹部から離脱する際はクリック板押え体が弾接部の弾発力を補強し、強い（クリック荷重の大きい）クリック感触を容易に得ることができる。
【００１３】
請求項２に記載の発明によれば、移動体を収納したケースの収納部の上にクリック板とクリック板押え体とを積み重ねて設置することで、容易に本発明にかかるクリック機構を構成することができる。
【００１４】
請求項３に記載の発明によれば、クリック板押え体がカバーを兼用するので、クリック機構の構造の簡素化が図れ、組立工程も容易になる。
【００１５】
請求項４に記載の発明によれば、上記クリック機構を有する回転式電子部品を構成することができる。
【図面の簡単な説明】
【００１６】
【図１】クリック機構Ｋを取り付けた回転式電子部品１を上側から見た斜視図である。
【図２】回転式電子部品１を下側から見た斜視図である。
【図３】回転式電子部品１を上側から見た分解斜視図である。
【図４】回転式電子部品１を下側から見た分解斜視図である。
【図５】インサート成形前のスイッチ板４０の斜視図である。
【図６】回転式電子部品１の組立方法説明図である。
【図７】クリック機構Ｋを構成する部分の要部概略断面拡大図である。
【図８】弾接部１０７がクリック係合凹部５１から離脱した状態を示す図である。
【図９】カバー１３０−２を示す斜視図である。
【発明を実施するための形態】
【００１７】
以下、本発明の実施形態を図面を参照して詳細に説明する。
図１は本発明の１実施形態にかかるクリック機構Ｋを取り付けたクリック機能付き回転式電子部品（以下「回転式電子部品」という）１を上側から見た斜視図、図２は回転式電子部品１を下側から見た斜視図、図３は回転式電子部品１を上側から見た分解斜視図、図４は回転式電子部品１を下側から見た分解斜視図である。これらの図に示すように回転式電子部品１は、ケース１０の収納部１３内に、摺動子８０を取り付けた移動体（以下「回転体」という）５０を収納し、その上にクリック板１００と、カバー１３０とを被せるように取り付けて構成されている。以下各構成部品について説明する。なお以下の説明において、「上」とはケース１０から回転体５０側を見る方向をいい、「下」とはその反対方向をいうものとする。
【００１８】
ケース１０は合成樹脂を略矩形状に成形してなる成形体１１の内部に、摺接パターン（以下「スイッチパターン」という）４５を形成した金属板製の摺動板（以下「スイッチ板」という）４０（図５参照）をインサート成形して構成されている。図５はインサート成形前のスイッチ板４０の斜視図である。同図に示すようにスイッチ板４０は矩形状の薄板金属板（たとえばステンレス板）にプレス加工などを行うことによって形成されており、スイッチパターン４５となるスイッチ部４１（４１Ａ，４１Ｂ）の周囲を矩形リング状の枠部４４で囲み、枠部４４の内周辺に端子部４３を介して前記各スイッチ部４１を接続している。枠部４４の各辺中央には円形の位置決め孔４６が設けられている。スイッチ部４１は中央に位置する１枚のリング形状のコモンスイッチ部４１Ａと、コモンスイッチ部４１Ａの周囲にこれを囲んで放射状に配置される複数枚（１０枚）のオンオフスイッチ部４１Ｂとを有している。コモンスイッチ部４１Ａは円形であって中央に貫通孔４７を有し、その外周から４本の端子部４３を突出してオンオフスイッチ部４１Ｂの間を接触しないように引き出されて枠部４４に接続している。各オンオフスイッチ部４１Ｂは略直線状（扇状）であってコモンスイッチ部４１Ａの中心から放射状に等間隔に配置され、その外側端部からそれぞれ端子部４３を突出して枠部４４に接続している。端子部４３は何れも枠部４４の対向する一対の内周辺に接続されている。なお枠部４４のもう一方の一対の内周辺には、これら辺に最も近い２本づつのオンオフスイッチ部４１Ｂから３本づつ突出する細板状の補強部４９が接続されている。
【００１９】
そしてケース１０は、以上のように構成されているスイッチ板４０を図示しない金型で挟持し、枠体４４の内側部分に形成される金型キャビティー内に溶融樹脂（たとえばＬＣＰ（液晶ポリマー））を充填して硬化させた後に金型を取り外し、次に端子部４３の成形体１１から所定長さ突出している部分と、補強部４９の成形体１１から突出している根元部分とをカット（図５に示すＡ−Ａ線，Ｂ−Ｂ線）して枠部４４を切り離し、さらに各端子部４３の成形体１１から突出している部分を成形体１１の下面側にコ字状に折り曲げることにより形成される。
【００２０】
ここで成形体１１は図３，図４に示すように略矩形状であり、その上面中央に略円形凹状の収納部１３を設け、その底面に前記コモンスイッチ部４１Ａの表面とオンオフスイッチ部４１Ｂの表面とからなるスイッチパターン４５を露出している。コモンスイッチ部４１Ａからなるスイッチパターン４５の中央には貫通孔４７（図５参照）を通して下面側の樹脂と連結している円柱状の軸支部１５が突設されている。また成形体１１の収納部１３の周囲は側壁部１７となっており、側壁部１７上面の収納部１３外周に接する１８０°対向する位置には矩形凹状のクリック板係止部１９が形成されている。側壁部１７の対向する一対の外周側壁（補強部４９が突出している側の外周側壁）の両端近傍位置には、それぞれ爪状に外方に突出するカバー係止部２７が設けられている。前述のように成形体１１の側壁部１７の外側面から突出している各端子部４３は成形体１１の下面側に略コ字状に折り曲げられ、ケース１０を面実装型としている。
【００２１】
回転体５０は合成樹脂（たとえばＰＯＭ樹脂）を略円板状に成形して構成されており、その上面にはリング状で全周にわたる凹凸からなるクリック係合凹部５１およびクリック係合凸部５２が交互に設けられている。回転体５０の上面中央には上方向に向かって突出する略円柱状の軸部５３が設けられ、またその下面中央には円形の穴からなる軸挿入部５５が設けられている。軸挿入部５５は前記ケース１０の軸支部１５を回動自在に挿入・軸支する内径寸法に形成されている。回転体５０の下面には３つの下方向に突出する小突起からなる摺動子取付突起５７が設けられている。
【００２２】
摺動子８０は弾性金属板を略円板状に形成して構成されており、中央には貫通孔８１が設けられ、貫通孔８１内には一対の円弧状のコモン摺動接点８３が設置され、外周には円弧状のオンオフ摺動接点８５が設けられ、また回転体５０の各摺動子取付突起５７に対向する位置にはこれらを挿入する小孔からなる回転体取付部８７が設けられている。
【００２３】
クリック板１００は弾性金属板（たとえばステンレス板）をリング状に形成して構成されている。クリック板１００の１８０°対向する位置にはその外周から半径方向外方に向けて突出する一対の係止部１０１が設けられている。各係止部１０１の先端側部分は下方向に略直角に折り曲げられており、その先端近傍部分には上方向に向かって幅寸法を拡大していく係止爪１０３が設けられている。クリック板１００の両係止部１０１間をつなぐ一対の円弧状の部分はそれぞれ弾接アーム１０５であり、両弾接アーム１０５の中央にはそれぞれ下方向に向けて突出するように略円弧状に湾曲する弾接部１０７が形成されている。弾接部１０７は前記回転体５０のクリック係合凹部５１およびクリック係合凸部５２に係合・弾接する部分である。両弾接アーム１０５の両端の係止部１０１に接続されている部分は所定角度下方向に折り曲げられており、これによって両弾接部１０７の位置は両係止部１０１の位置よりも少し下側に位置している。
【００２４】
カバー１３０は金属板（たとえばステンレス板）を略矩形状に形成し、中央に円形の貫通孔からなる軸挿通部１３１を設け、また前記ケース１０のカバー係止部２７を突出している側の辺に対向する一対の辺に下方向に向かって折り曲げた本体取付部１３３を設け、もう一方の対向する辺に下方向に向かって折り曲げた側壁係止部１３５を設け、さらに本体取付部１３３の左右両側から舌片状の取付係止部１３３ａを左右方向（水平方向）に突出して構成されている。またカバー１３０の軸挿通部１３１の周囲を囲む１８０°対向する位置には、円弧状の一対のスリット１３７が設けられ、スリット１３７と軸挿通部１３１の間の円弧状の部分を一対のクリック板押え体１３９としている。つまりクリック板押え体１３９は、カバー１３０のそれ以外の部分に対して所定の弾性力にて上下動できる構成となっている。各クリック板押え体１３９の中央のスリット１３７側の辺近傍には、このクリック板押え体１３９の一部を下方向に突出するように加工・変形してなる押え部１４１が形成されている。押え部１４１は略矩形状であって、外周の３辺がクリック板押え体１３９に連結されていてこれら３辺がともに下方向に折り曲げられており、その外周のもう１つの辺がスリット１３７に面している。さらにいえば、押え部１４１は図７に示すように、略平面状（中央が少し下がっている湾曲面）の部分と、クリック板押え体１３９の他の部分に連結される傾斜面状に折り曲げた側壁部１４３とによって構成されている。これら一対の押え部１４１は前記クリック板１００の一対の弾接部１０７の上面側（背面側）に対向する位置に設けられている。
【００２５】
回転式電子部品１を組み立てるには、まず予め回転体５０の下面に摺動子８０を設置し、その際回転体５０の各摺動子取付突起５７を摺動子８０の各回転体取付部８７に挿入し、摺動子取付突起５７の先端を熱かしめして取り付けておく。そしてケース１０の収納部１３内に前記回転体５０を収納し、回転体５０の上にクリック板１００を設置し、図６に示す状態にする。このとき図６に示すように、クリック板１００の一対の係止部１０１先端をケース１０の一対のクリック板係止部１９にそれぞれ挿入し、係止爪１０３をクリック板係止部１９の内側面に係止する。このときクリック板１００の一対の弾接部１０７はそれぞれ回転体５０のクリック係合凹部５１またはクリック係合凸部５２に弾接している。
【００２６】
そして前記回転体５０とクリック板１００とを収納したケース１０の上にカバー１３０を被せ、カバー１３０の各取付係止部１３３ａをケース１０の各カバー係止部２７の下面側にスナップイン係合にて係止すれば、図１，図２に示す回転式電子部品１が完成する。なお上記組立手順はその一例であり、他の各種異なる組立手順を用いて組み立てても良いことはいうまでもない。
【００２７】
図７は組み立てた回転式電子部品１中のクリック機構Ｋを構成する部分を示す要部概略断面拡大図（ただし各部の断面位置は異なっている）である。ここでクリック機構Ｋを構成している部品は、ケース１０と回転体５０とクリック板１００とクリック板押え体１３９とである。同図に示すようにクリック機構Ｋは、表面（上面）にクリック係合凹部５１（およびクリック係合凸部５２）を設けた回転体５０と、回転体５０のクリック係合凹部５１（およびクリック係合凸部５２）に係合する弾接部１０７を有する弾性板製のクリック板１００と、を有し、弾接部１０７の背面側に所定の隙間Ｓ１を介してクリック板押え体１３９の押え部１４１を設置して構成されている。隙間Ｓ１は弾接部１０７がクリック係合凹部５１内に係合している際に生じるものであり、弾接部１０７がクリック係合凹部５１から離脱する際は離脱する途中において消滅し、つまり弾接部１０７の上面（背面）は押え部１４１の下面に当接する。回転体５０はケース１０の収納部１３内に収納されており、クリック板１００とクリック板押え体１３９は、ケース１０の収納部１３を覆う位置に積み重ねて設置されている。クリック板押え体１３９はカバー１３０に設けられ、つまりクリック板押え体１３９はカバー１３０を兼用している。
【００２８】
上記完成した回転式電子部品１において回転体５０を回転すれば、摺動子８０のコモン摺動接点８３とオンオフ摺動接点８５がスイッチパターン４５上を摺動して各端子部４３からのオンオフ出力が変化する。同時にクリック板１００の弾接部１０７が回転体５０のクリック係合凹部５１とクリック係合凸部５２とからなる凹凸を乗り越えていくことでクリック感触が生じる。図８は弾接部１０７がクリック係合凹部５１から離脱した際の状態を示す図である。前述したように弾接部１０７がクリック係合凹部５１内にある場合（図７の状態の場合）は、弾接部１０７と押え部１４１とは当接していない。次に回転体５０を回転して弾接部１０７がクリック係合凹部５１から離脱しようとして弾接部１０７が上昇を開始すると、最初は（つまり隙間Ｓ１がなくなるまでは）、クリック板１００の弾接アーム１０５による弾発力のみが、弾接部１０７がクリック係合凹部５１から離脱することへの抵抗力になる。さらに回転体５０を回転するとさらに上昇する弾接部１０７によってこれに当接した押え部１４１が押し上げられ、クリック板１００の弾接アーム１０５による弾発力に加えてクリック板押え体１３９による弾発力が、同時に弾接部１０７がクリック係合凹部５１から離脱することへの抵抗力になる。さらに回転体５０を回転するとさらに上昇した弾接部１０７が完全にクリック係合凸部５２に乗り上げて、図８に示す状態になり、つまりクリック係合凹部５１から完全に離脱する。つまりこのクリック機構Ｋによれば、クリック板１００の弾接部１０７の背面側に、この弾接部１０７がクリック係合凹部５１から離脱する際に（完全に離脱する前に）当接してその離脱に対する抵抗力を補強するクリック板押え体１３９を設置したので、弾接部１０７が回転体５０のクリック係合凹部５１から離脱する際はクリック板押え体１３９が弾接部１０７の弾発力を補強し、強い（クリック荷重の大きい）クリック感触を容易に得ることができる。
【００２９】
一方、上述のように弾接部１０７がクリック係合凹部５１内にある場合（図７の状態の場合）は、弾接部１０７と押え部１４１は当接していない。したがって弾接部１０７が回転体５０を押圧している力は弱い（図７の場合は弾接部１０７の先端がクリック係合凹部５１の底面に当接していないので、回転体５０は全く押圧されていない。もちろん両者は当接していてもよい。）。このことから、クリック板１００の弾接部１０７を回転体５０のクリック係合凹部５１内に係合した状態、すなわち弾接部１０７がクリック板押え体１３９によって押されていない状態としておけば、たとえば組み立てた回転式電子部品１を回路基板上に搭載して半田付けのためにリフローなどして回転式電子部品１に高温が印加されて合成樹脂製のケース１０が柔らかくなったとしても、この高温印加時に回転体５０がクリック板１００の弾接部１０７によって強く押圧されることはない。したがってケース１０とカバー１３０の間に緩みが生じることはない。このため強いクリック感触を高温印加後も元のまま維持できる。つまり高温印加後も、常に強い（クリック荷重の大きい）クリック感触を維持できるクリック機構Ｋを構成できる。
【００３０】
図９は本発明に用いる他のカバー１３０−２の例を示す斜視図である。同図に示すカバー１３０−２において、前記図１〜図８に示す実施形態にかかるカバー１３０と同一又は相当部分には同一符号を付す。なお以下で説明する事項以外の事項については、前記図１〜図８に示すカバー１３０と同じである。このカバー１３０−２において前記カバー１３０と相違する点は、軸挿通部１３１と一対のクリック板押え体１３９との間に、それぞれ円弧状のスリット１３８を設け、これによって両クリック板押え体１３９の幅を小さくしてそれらの弾性を大きくした点のみである。このように構成すれば、押え部１４１による弾接部１０７の押圧力を弱くでき、要望に応じた強さのクリック感触を得ることができる。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。たとえば上記実施形態では、クリック板押え体１３９がカバー１３０を兼用するので、クリック機構Ｋの構造の簡素化が図れ、組立工程も容易になるが、両者は別々の部品で構成してもよい。また上記実施形態では成形体１１の内部にスイッチ板４０をインサート成形してケース１０を構成したが、例えば成形体１１の収納部１３の底面にスイッチパターンを形成した回路基板を載置するなどしてケースを構成してもよい。
【００３２】
また上記実施形態ではスイッチパターン４５と摺動子８０とによって電気的機能部を構成したが、スイッチパターンの代りに抵抗体パターンを用いてもよく、さらに別の構造・機能を有する電気的機能部であってもよい。要はケースの収納部内に設置され回転体の回転に応じて電気的出力を変化する電気的機能部であればよい。また上記実施形態では本発明を適用する電子部品として、移動体を回転体とした回転式電子部品を示したが、たとえば移動体を直線状に移動（スライド移動）するスライド式電子部品に本発明を適用してもよい。スライド移動方向とは直線方向以外にも、円弧方向やその他の曲線方向など、直線方向以外の各種方向を含む概念である。
【符号の説明】
【００３３】
１  回転式電子部品（クリック機能付き回転式電子部品、電子部品）
１０  ケース
１１  成形体
１３  収納部
４０  スイッチ板
４５  スイッチパターン（摺接パターン、電気的機能部）
５０  回転体（移動体）
５１  クリック係合凹部
８０  摺動子（電気的機能部）
１００  クリック板
１０７  弾接部
１３０  カバー
１３９  クリック板押え体
１４１  押え部
Ｋ  クリック機構
１３０−２  カバー
【図１】
2010277711.tif 000003
【図２】
2010277711.tif 000004
【図３】
2010277711.tif 000005
【図４】
2010277711.tif 000006
【図５】
2010277711.tif 000007
【図６】
2010277711.tif 000008
【図７】
2010277711.tif 000009
【図８】
2010277711.tif 000010
【図９】
2010277711.tif 000011